(57)【要約】【課題】ミキシングチップをシリンジ体に簡便且つ確実に係止固定することができると共に、簡便に取り外すこともできる取り扱いが容易な歯科用ミキサーを提供する。【解決手段】歯科用ミキサーを、２本のシリンジ1a，1aが並列してホルダー1bに固定されたシリンジ体１と、ミキシングチップ２と、シリンジ1a，1aに摺動自在に外嵌されているスリーブ３とから構成させると共に、ミキシングチップ２を、ミキシングエレメントが内部に装着されたハウジング2aと、歯科用ペーストを各シリンジ1a，1a内からハウジング2a内へと導くペースト案内部材2bと、シリンジ1a，1a間の係止溝1c，1cにそれぞれ弾性により係止される爪部2ca，2caを先端側に有する板ばね状の係止部材2c，2cとから構成させ、スリーブ３を、ハウジング2aの吐出口側へと摺動させると少なくとも各係止部材2c，2cの爪部2ca，2caを覆って爪部2ca，2caの弾性による係止の解除を防止する形状とする。【選択図】図１
2014168728.tif 000002
【特許請求の範囲】
【請求項１】
２本のシリンジ(1a，1a)が並列してホルダー(1b)に固定されたシリンジ体(１)と、各シリンジ(1a，1a)内の歯科用ペーストを混合して吐出させるミキシングチップ(２)と、該シリンジ(1a，1a)に摺動自在に外嵌されているスリーブ(３)とから成る歯科用ミキサーであって、
該ミキシングチップ(２)が、ミキシングエレメントが内部に装着されたハウジング(2a)と、歯科用ペーストを各シリンジ(1a，1a)内から該ハウジング(2a)内へと導くために該ハウジング(2a)の吐出口と反対側に位置する端部に設けられているペースト案内部材(2b)と、該ペースト案内部材(2b)又は該ハウジング(2a)に一体に構成されていて、シリンジ体(１)の２本のシリンジ(1a，1a)間にそれぞれ形成された一対の係止溝(1c，1c)にそれぞれ弾性により係止される爪部(2ca，2ca)を先端側に有する板ばね状の一対の係止部材(2c，2c)とから構成されており、
該スリーブ(３)が、該ハウジング(2a)の吐出口側へと摺動されると少なくとも各係止部材(2c，2c)の爪部(2ca，2ca)を覆って該爪部(2ca，2ca)の弾性による係止の解除を防止する形状をなしていることを特徴とする歯科用ミキサー。
【発明の詳細な説明】
【技術分野】
【０００１】
本発明は、２本のシリンジが並列してホルダーに固定されたシリンジ体に、歯科用ペーストを混合吐出させるためのミキシングチップを簡便且つ確実に係止固定することができる歯科用ミキサーに関するものである。
【背景技術】
【０００２】
複数のペーストを混合する場合、各ペーストが収納されたシリンジからそれぞれ押し出されたペーストを混合するために静的なミキシングチップがしばしば利用され、このミキシングチップは複数のシリンジが並列に固定されたシリンジ体の先端に係止固定される。
【０００３】
このミキシングチップには複数のシリンジが並列に固定されたシリンジ体に簡便に係止固定できることが求められており、そのようなミキシングチップとしては、ミキシングチップ（ミキサー）の下端外面に差込突起を設け、シリンジ体（カートリッジ）にはこのミキシングチップの差込突起を受容する差込突片を設けて、ミキシングチップをその差込突起がシリンジ体の差込突片と交差するようにして当接させ、凡そ９０度回転させて差込突起と差込突片とを係止固定するミキシングチップがある（例えば、特許文献１参照。）。しかしながら、このミキシングチップは、回転係止させただけであるから、必ずしも確実に係止させることができず、外れないようにするには何らかの防止機構が必要となる。
【０００４】
またより確実に係止固定できるものとしては、複数のシリンジを添わせた状態で各先端部分が１つの雄ねじを形成するようなシリンジを使用して、雄ねじが形成されたシリンジの先端部分にミキシングチップを当接させた状態で、これらを覆うようにカップリングナットを螺合させてミキシングチップとシリンジとを連結させるカートリッジがある（例えば、特許文献２参照。）。しかしながら、このカートリッジでは雄ねじ部分に（カップリング）ナットを螺合させなければならないので、ミキシングチップの装着に手間がかかり、更に、複数のシリンジを添わせた状態で雄ねじが形成されるような特殊な加工も必要となる。
【０００５】
同様に確実に係止固定できるミキシングチップとしては、２本のシリンジが並列して固定されたシリンジ体（シリンジホルダー）の先端に２箇所で係止固定されるミキシングチップであって、ミキシングエレメントが内部に装着されたハウジングと、２本のシリンジのノズルに取り付けられるペースト注入口及び各シリンジからそれぞれ押し出されたペーストをペースト注入口からハウジング内へと導く流路部とを有しハウジングの吐出口と反対側に位置する端部に固定されているペースト案内部材と、ペースト案内部材又はハウジングに固定又は一体に形成されていてシリンジ体（シリンジホルダー）に係止固定させるための２つの係止部材とから構成されていて、２つの係止部材が、シリンジ体（シリンジホルダー）に形成された係止孔に係止される爪部とシリンジ体（シリンジホルダー）に穿設された穴部に挿入される突起部とであるか、又はそれぞれシリンジ体（シリンジホルダー）に形成された係止孔に係止される爪部であることを特徴とするミキシングチップがある（例えば、特許文献３参照。）。
【０００６】
このミキシングチップでは、シリンジ体（シリンジホルダー）の係止孔に係止される爪部だけで固定されるため、どうしても爪部で強く係止させる必要があり、その結果、強く係止させた爪部を取り外す際にやや手間がかかるという問題がある。
【先行技術文献】
【特許文献】
【０００７】
【特許文献１】特開平８−２７６１２５号公報
【特許文献２】特開平４−２３９４７７号公報
【特許文献３】特開２００８−２２９５５３号公報
【発明の概要】
【発明が解決しようとする課題】
【０００８】
本発明は前記の問題に鑑み、ミキシングチップをシリンジ体に簡便且つ確実に係止固定することができると共に、簡便に取り外すこともできる取り扱いが容易な歯科用ミキサーを提供することを課題とする。
【課題を解決するための手段】
【０００９】
本発明者らは前記課題を解決すべく鋭意検討した結果、歯科用ミキサーを、２本のシリンジが並列してホルダーに固定されたシリンジ体と、各シリンジ内の歯科用ペーストを混合して吐出させるミキシングチップと、シリンジに摺動自在に外嵌されているスリーブとから構成させれば、非常に簡便な構造とすることで、扱い易く生産性にも優れた歯科用ミキサーとすることができ、またミキシングチップが、ミキシングエレメントが内部に装着されたハウジングと、歯科用ペーストを各シリンジ内からハウジング内へと導くためにハウジングの吐出口と反対側に位置する端部に設けられているペースト案内部材と、ペースト案内部材又はハウジングに一体に構成されていて、シリンジ体の２本のシリンジ間にそれぞれ形成された一対の係止溝にそれぞれ弾性により係止される爪部を先端側に有する板ばね状の一対の係止部材とから構成させ、スリーブを、ハウジングの吐出口側へと摺動されると少なくとも各係止部材の爪部を覆って爪部の弾性による係止の解除を防止する形状とすれば、２つの爪部とそれを押さえるスリーブとを使用して、ミキシングチップをシリンジ体に係止させることで、爪部だけで強く係止させる必要がなくなり、ミキシングチップはその爪部で軽く係止させるだけでよいから、その着脱が容易にでき、非常に取り扱い易いことを究明して本発明を完成したのである。
【００１０】
即ち本発明は、２本のシリンジが並列してホルダーに固定されたシリンジ体と、各シリンジ内の歯科用ペーストを混合して吐出させるミキシングチップと、シリンジに摺動自在に外嵌されているスリーブとから成る歯科用ミキサーであって、ミキシングチップが、ミキシングエレメントが内部に装着されたハウジングと、歯科用ペーストを各シリンジ内からハウジング内へと導くためにハウジングの吐出口と反対側に位置する端部に設けられているペースト案内部材と、ペースト案内部材又はハウジングに一体に構成されていて、シリンジ体の２本のシリンジ間にそれぞれ形成された一対の係止溝にそれぞれ弾性により係止される爪部を先端側に有する板ばね状の一対の係止部材とから構成されており、スリーブが、ハウジングの吐出口側へと摺動されると少なくとも各係止部材の爪部を覆って爪部の弾性による係止の解除を防止する形状をなしていることを特徴とする歯科用ミキサーである。
【発明の効果】
【００１１】
本発明に係る歯科用ミキサーは、２本のシリンジが並列してホルダーに固定されたシリンジ体と、各シリンジ内の歯科用ペーストを混合して吐出させるミキシングチップと、シリンジに摺動自在に外嵌されているスリーブとから成る歯科用ミキサーであって、ミキシングチップが、ミキシングエレメントが内部に装着されたハウジングと、歯科用ペーストを各シリンジ内からハウジング内へと導くためにハウジングの吐出口と反対側に位置する端部に設けられているペースト案内部材と、ペースト案内部材又はハウジングに一体に構成されていて、シリンジ体の２本のシリンジ間にそれぞれ形成された一対の係止溝にそれぞれ弾性により係止される爪部を先端側に有する板ばね状の一対の係止部材とから構成されており、スリーブがハウジングの吐出口側へと摺動されると少なくとも各係止部材の爪部を覆って爪部の弾性による係止の解除を防止する形状をなしていることから、非常に簡便な構造とすることで、扱い易く生産性にも優れた歯科用ミキサーとすることができ、また２つの爪部とそれを押さえるスリーブとを使用して、ミキシングチップをシリンジ体に係止させることで、爪部だけで強く係止させる必要がなくなり、ミキシングチップはその爪部で軽く係止させるだけでよいから、その着脱が容易にでき、非常に取り扱い易いのである。
【図面の簡単な説明】
【００１２】
【図１】本発明に係る歯科用ミキサーの一実施例を示す斜視図である。
【図２】図１の歯科用ミキサーにおいて、ミキシングチップをシリンジ体に係止させる様子を示す斜視説明図である。
【図３】図１の歯科用ミキサーにおいて、シリンジ体の２本のシリンジ間で、ミキシングチップをシリンジ体に係止させる様子を示す簡略説明図である。
【図４】図１の歯科用ミキサーにプランジャーを装着した状態を示す正面説明図である。
【発明を実施するための形態】
【００１３】
以下、図面を用いて本発明に係る歯科用ミキサーについて詳細に説明する。
【００１４】
１は２本のシリンジ1a，1aが並列してホルダー1bに固定されたシリンジ体である。
【００１５】
２は各シリンジ1a，1a内の歯科用ペーストを混合して吐出させるミキシングチップであって、このミキシングチップ２は、ミキシングエレメントが内部に装着されたハウジング2aと、歯科用ペーストを各シリンジ1a，1a内からハウジング2a内へと導くためにハウジング2aの吐出口と反対側に位置する端部に設けられているペースト案内部材2bと、ペースト案内部材2b又はハウジング2aに一体に構成されていて、シリンジ体１の２本のシリンジ1a，1a間にそれぞれ形成された一対の係止溝1c，1cにそれぞれ弾性により係止される爪部2ca，2caを先端側に有する板ばね状の一対の係止部材2c，2cとから構成されている。
【００１６】
３はシリンジ1a，1aに摺動自在に外嵌されているスリーブであって、このスリーブ３は、ハウジング2aの吐出口側へと摺動されると少なくとも各係止部材2c，2cの爪部2ca，2caを覆って爪部2ca，2caの弾性による係止の解除を防止する形状をなしている。
【００１７】
このような本発明に係る歯科用ミキサーは、図１のように、２本のシリンジ1a，1aが並列してホルダー1bに固定されたシリンジ体１と、各シリンジ1a，1a内の歯科用ペーストを混合して吐出させるミキシングチップ２と、シリンジ1a，1aに摺動自在に外嵌されているスリーブ３とから構成されている。
【００１８】
そしてスリーブ３はシリンジ1a，1a（シリンジ体１）に取り外し可能な状態で外嵌されていてもよいが、予めシリンジ1a，1a（シリンジ体１）に取り外しのできない状態（嵌め殺し等）で外嵌されていれば、シリンジ体１とスリーブ３とが一体と成って、ミキシングチップ２を着脱するだけの簡便な構成となり取り扱い易くなるのである。
【００１９】
またこのような本発明に係る歯科用ミキサーを実際に使用するには、図２(Ｉ)及び図３(Ｉ)のように、先ずシリンジ体１の２本のシリンジ1a，1a間にそれぞれ形成された一対の係止溝1c，1cに、板ばね状の一対の係止部材2c，2cの先端側の爪部2ca，2caをそれぞれ弾性により係止させる。
【００２０】
次に図２(II)及び図３(II)のように、スリーブ３をハウジング2aの吐出口側へと摺動させて、少なくとも各係止部材2c，2cの爪部2ca，2caを覆って爪部2ca，2caの弾性による係止が解除されない状態とする（図２(III)及び図３(III)）。
【００２１】
そして図４のように、本発明に係る歯科用ミキサーのシリンジ体１の吐出口と反対側にプランジャーを取り付けて、スリーブ３が少なくとも各係止部材2c，2cの爪部2ca，2caを覆って爪部2ca，2caの弾性による係止が解除されない状態を維持させたまま、プランジャーをシリンジ1a，1a内に押し込むようにすることで、混合された歯科用ペーストをミキシングチップ２から容易に吐出させることができるのである。
【００２２】
このようにして使用された場合、シリンジ1a，1a内の歯科用ペーストを全て混合して使い切ることは稀であり、通常はシリンジ1a，1a内に歯科用ペーストが残る場合が多い。その際にミキシングチップ２内の混合された歯科用ペーストは硬化するため、後日、再使用することは困難であるが、シリンジ1a，1a内に残っている各歯科用ペーストは混合されていないので硬化しない。従って、シリンジ1a，1a内に歯科用ペーストが残った場合は、ミキシングチップ２を交換することによって後日使用することができる。そのためミキシングチップ２の交換が容易にできるか否かが非常に重要となる。
【００２３】
本発明に係る歯科用ミキサーでは、２つの爪部2ca，2caとそれを押さえるスリーブ３とを使用して、ミキシングチップ２をシリンジ体１に係止させるので、ミキシングチップ２は爪部2ca，2caでシリンジ体１に軽く係止させるだけでよいから、その着脱が容易にでき、ミキシングチップ２の交換に手間がかからず、非常に取り扱い易いのである。
【００２４】
即ち、図４のようにして本発明に係る歯科用ミキサーを使用し、後日再使用する場合には、２つの爪部2ca，2caを押さえているスリーブ３をシリンジ体１の吐出口と反対側に摺動させた状態で、シリンジ体１の一対の係止溝1c，1cにそれぞれ弾性により係止される爪部2ca，2caの係止を解除することにより、ミキシングチップ２を容易に取り外すことができ、その後に新たなミキシングチップ２を前述のようにしてシリンジ体１に装着すれば、シリンジ1a，1a内に残っている各歯科用ペーストを無駄にすることなく全て使用することができるのである。
【符号の説明】
【００２５】
１  シリンジ体
1a  シリンジ
1b  ホルダー
1c  係止溝
２  ミキシングチップ
2a  ハウジング
2b  ペースト案内部材
2c  係止部材
2ca  爪部
３  スリーブ
【図１】
2014168728.tif 000003
【図２】
2014168728.tif 000004
【図３】
2014168728.tif 000005
【図４】
2014168728.tif 000006